(57)【要約】【課題】液の吸収速度が速く、液戻りが少ない吸収体を提供すること。【解決手段】パルプ繊維２及び高吸収性ポリマーの粒子３を含み、第１の面１Ａ及びこれに対向する第２の面１Ｂを有する吸収体１０において、高吸収性ポリマーの粒子３の平均粒径が、第１の面１Ａから第２の面１Ｂに向けて漸次小径となっており、第２の面１Ｂ側のパルプ繊維２の重量が、第１の面１Ａ側のパルプ繊維２の重量より大きくなっており、第１の面１Ａ側の空隙率と該第２の面１Ｂ側の空隙率とが異なっている。【選択図】図１
2008132055.tif 000002
【特許請求の範囲】
【請求項１】
パルプ繊維及び高吸収性ポリマーの粒子を含み、第１の面及びこれに対向する第２の面を有する吸収体において、
前記高吸収性ポリマーの粒子の平均粒径が、前記第１の面から前記第２の面に向けて漸次小径となっており、
前記第２の面側のパルプ繊維の重量が、前記第１の面側のパルプ繊維の重量よりも大きくなっており、
前記第１の面側の空隙率と該第２の面側の空隙率とが異なっている吸収体。
【請求項２】
前記第２の面から前記吸収体の厚みの３０％までの領域におけるパルプ繊維の重量が、前記第１の面から該吸収体の厚みの３０％までの領域におけるパルプ繊維の重量よりも大きくなっている請求項１記載の吸収体。
【請求項３】
前記第１の面が、受液面として用いられる請求項１又は２記載の吸収体。
【請求項４】
請求項１ないし３の何れかに記載の吸収体を具備する吸収性物品。
【発明の詳細な説明】
【技術分野】
【０００１】
本発明は、使い捨ておむつや生理用ナプキン等の各種吸収性物品に用いられる吸収体及び該吸収体を備えた吸収性物品に関する。
【背景技術】
【０００２】
従来、繊維材料及び高吸収性ポリマーの粒子を含む吸収体において、吸収体における液の吸収能力を高めるために、吸収体の第１の面とこれに対向する第２の面とにおいて繊維材料の重量や高吸収性ポリマーの粒子の密度を異ならせたものが知られている。例えば、受液面として用いられる第１の面側の高吸収性ポリマーの粒子の密度を第２の面側の高吸収性ポリマーの粒子の密度よりも大きくすると共に、第２の面側の繊維材料の密度を第１の面側の繊維材料の密度よりも大きくしたものが知られている（特許文献１参照）。
また、第１の面側の高吸収性ポリマーの粒子の粒径を第２の面側の高吸収性ポリマーの粒子の粒径よりも大きくしたものも知られている（特許文献２）。
【０００３】
【特許文献１】特開平６−２０５８０６号公報
【特許文献１】特表２０００−５１６８６４号公報
【発明の開示】
【発明が解決しようとする課題】
【０００４】
しかし、特許文献１記載の吸収体においては、高吸収性ポリマーの粒子の密度の大きい第１の面側において吸液により高吸収性ポリマーの粒子が膨潤すると、膨潤した該高吸収性ポリマーの粒子同士が密着してゲル層を形成し、ゲルブロッキングが生じる。そのため、複数回の液の排泄があった場合、２回目以降に排泄された液は、第１の面側から第２の面側への透過性が悪く、吸収体の中に液をすばやく吸収することができず、漏れや肌トラブルの原因となった。また、特許文献２記載の吸収体においては、第１の面側及び第２の面側の繊維材料の密度が均一であるため、第１の面側においても繊維間の間隙に液が保持されることにより吸収体からの液戻りの原因となっていた。
【０００５】
従って、本発明の目的は、吸収体への液の吸収速度が速く、液戻りが少ない吸収体及び該吸収体を備えた吸収性物品を提供することにある。
【課題を解決するための手段】
【０００６】
本発明は、パルプ繊維及び高吸収性ポリマーの粒子を含み、第１の面及びこれに対向する第２の面を有する吸収体において、前記高吸収性ポリマーの粒子の平均粒径が、前記第１の面から前記第２の面に向けて漸次小径となっており、前記第２の面側のパルプ繊維の重量が、前記第１の面側のパルプ繊維の重量より大きくなっており、前記第１の面の空隙率と該第２の面の空隙率とが異なっている吸収体を提供することにより、前記目的を達成したものである。
【０００７】
また、本発明は、前記の吸収体を備えた吸収性物品を提供するものである。
【発明の効果】
【０００８】
本発明によれば、吸収体の第１の面側と第２の面側とにおいて高吸収性ポリマーの粒子の粒径、パルプ繊維の重量及び空隙率が異なっているため、吸収体への液の吸収速度を向上させると共に、吸収体からの液戻りが低減される。
【発明を実施するための最良の形態】
【０００９】
以下、本発明を、その好ましい実施形態に基づき図面を参照しながら説明する。図１には、本発明の一実施形態（第１実施形態）が示されている。同図は、吸収性物品の股下部における縦断面の構造を模式的に示すものである。吸収性物品１は、使い捨ておむつや生理用ナプキン等、体液の吸収、保持に用いられる物品を広く包含する。吸収性物品１は、表面シート１１、裏面シート１２及び両シート間に介在配置された吸収体１０を備えている。表面シート１１、裏面シート１２としては、当該技術分野において通常用いられている材料を特に制限なく用いることができる。例えば、表面シート１１としては、親水化処理が施された各種不織布や開孔フィルム等の液透過性のシートやスキンケア剤を塗布したシートを用いることができる。裏面シート１２としては、熱可塑性樹脂のフィルムや、該フィルムと不織布とのラミネート等の液賦透過性ないし撥水性のシートを用いることができる。裏面シート１２は、水蒸気透過性を有していてもよい。
【００１０】
吸収性物品１は、更に、該吸収性物品の具体的な用途に応じた各種部材を具備していてもよい。そのような部材は、当業者に公知である。例えば、吸収性物品を使い捨ておむつや生理用ナプキンに適用する場合には、表面シート上の左右両側部に一対又は二対以上の立体ガードを配置することができる。
【００１１】
吸収性物品１における吸収体１０は、パルプ繊維２及び高吸収性ポリマーの粒子（以下、ポリマー粒子ともいう）３を含んでおり、第１の面１Ａ及びこれに対抗する第２の面１Ｂを有している。吸収体１０は、第１の面１Ａ及び第２の面１Ｂのどちら側からでも液の吸収が可能となっており、何れの面も受液面として使用することができるところ、本実施形態においては、第１の面１Ａが表面シート１１側に位置しており、該面１Ａが受液面として用いられている。
【００１２】
ポリマー粒子３は、パルプ繊維２に保持された状態で、吸収体１０の厚み方向に亘り分散配置されている。ポリマー粒子３は、通常、その粒径が一定ではなく粒度分布を有している。つまり、ポリマー粒子３は、その粒径が小さなものから大きなものまでを含んでいる。ポリマー粒子３は、その平均粒径が、吸収体１０の第１の面１Ａから第２の面１Ｂに向かって厚み方向全域に亘り漸次小径となっている。
【００１３】
ポリマー粒子３の粒径とは、該ポリマー粒子３が球形である場合には、球の直径のことであり、該ポリマー粒子３が球形でない場合には、短軸と長軸の平均値を該ポリマー粒子３の粒径とする。
また、ポリマー粒子３の平均粒径が漸次小径となるとは、吸収体１０を厚み方向に３等分した時の各層におけるポリマー粒子３の平均粒径を測定し、その各層における平均粒径が、第１の面１Ａから第２の面１Ｂに向けて順に小さくなっていることをいう。
各層における平均粒径は次のようにして求める。先ず、吸収体１０の厚み方向の断面を顕微鏡観察し、その断面写真を撮像する。得られた断面写真画像から画像解析ソフト（Ｉｍａｇｅ−Ｐｒｏ  Ｐｌｕｓ、日本ビジュアルサイエンス株式会社製）を用いて各層におけるポリマー粒子３の直径を測定する。測定は各層とも５点行い、その平均値を各層における平均粒径とする。
第１の面１Ａに配されているポリマー粒子３は、その粒径が、好ましくは３００〜８００μｍ、更に好ましくは４００〜６５０μｍである。一方、第２の面１Ｂに配されているポリマー粒子３は、その粒径が、好ましくは５０〜２５０μｍ、更に好ましくは１００〜２００μｍである。
【００１４】
吸収体１０においては、第２の面１Ｂ側のパルプ繊維２の重量は、第１の面１Ａ側のパルプ繊維の重量よりも大きくなっている。
ここで、第１の面１Ａ側とは、吸収体１０の厚み方向における第１の面１Ａを含むその近傍の領域をいい、第２の面１Ｂ側とは、吸収体１０の厚み方向における第２の面１Ｂを含むその近傍の領域をいう。また、第１の面近傍の領域及び第２の面近傍の領域とは、好ましくは第１の面１Ａ及び第２の面１Ｂから吸収体１０の厚みの５０％までの範囲をいい、更に好ましくは３０％までの範囲をいう。
また、第１の面１Ａ側のパルプ繊維の重量又は第２の面１Ｂ側のパルプ繊維の重量とは、それぞれの面側の領域における単位面積当たりの繊維量をいう。
即ち、吸収体１０においては、第２の面１Ｂ側が繊維量の多い領域となっており、第１の面１Ａ側が繊維量の少ない領域となっている。
【００１５】
第１実施形態においては、図１に示すように、第１の面１Ａから吸収体１０の厚さの半分までが繊維量の少ない領域となっており、第２の面１Ｂから吸収体１０の厚さの半分までが繊維量の多い領域となっている。また、それぞれの領域内においては、繊維量に変化はなく略同一となっている。
【００１６】
吸収体１０の厚み方向におけるパルプ繊維２の繊維量の分布は、図１に示す分布形態に限られない。例えば、パルプ繊維２の繊維量が変化する部分は、厚み方向の半分の位置に限られず、半分よりも表面シート１１側であってもよく、裏面シート１２側であってもよい。また、第１の面１Ａから第２の面１Ｂに向けて繊維量が連続的に増加していてもよい。即ち、第２の面１Ｂ側のパルプ繊維２の重量が、第１の面１Ａ側のパルプ繊維２の重量よりも大きくなっていればよい。
第１の面１Ａ側の繊維量は、好ましくは２５〜２００ｇ／ｍ2、更に好ましくは８０〜１５０ｇ／ｍ2である。一方、第２の面１Ｂ側の繊維量は、好ましくは１００〜４００ｇ／ｍ2、更に好ましくは２００〜３００ｇ／ｍ2である。
【００１７】
このように、第１の面１Ａ側と第２の面１Ｂ側とにおいて、ポリマー粒子３の粒径及び繊維量が異なっているため、第１の面１Ａ側の空隙率と、第２の面１Ｂ側の空隙率とは異なっている。本実施形態においては、第１の面１Ａ側の空隙率は、第２の面１Ｂ側の空隙率よりも大きくなっている。第１の面１Ａ側の空隙率と第２の面１Ｂ側の空隙率とは、その差が５％以上あるのが好ましく、さらに好ましくは１０％以上、もっとも好ましくは１５％以上である。第１の面１Ａ側の空隙率及び第２の面１Ｂ側の空隙率は、以下の空隙率の測定方法に従って測定する。
【００１８】
〔空隙率の測定方法〕
はじめに吸収体１０の厚み方向の断面を顕微鏡観察し、その断面写真を撮像する。得られた断面写真を画像解析ソフト（Ｉｍａｇｅ−Ｐｒｏ  Ｐｌｕｓ、日本ビジュアルサイエンス株式会社製）で解析する。断面写真における第１の面１Ａ側の領域及び第２の面１Ｂ側の領域それぞれにおいてパルプ繊維２及びポリマー粒子３のない領域の面積を測定し、その面積を空隙の面積とする。得られた第１の面１Ａ側の領域の空隙の面積及び第２の面１Ｂ側の領域の空隙の面積をそれぞれ第１の面１Ａ側の領域の断面積及び第２の面１Ｂ側の領域の断面積で除して空隙率を求める。ここでは、第１の面１Ａから吸収体の厚み方向の５０％の領域の空隙率と第２の面１Ｂから吸収体の厚み方向の５０％の領域の空隙率とを比較する。
【００１９】
吸収体１０は、第１の面１Ａを液の吸収面、即ち受液面として使用することにより液の吸収速度が高まる。この理由は次の通りである。
ポリマー粒子３は、一般にその粒径が大きいほど、単位重量当たりの表面積が小さく、液をポリマー粒子３内に吸収する速度が遅い傾向にある。また、粒径が大きなポリマー粒子３は、最密充填しにくいので、ポリマー粒子３間に多数の大きな空間を形成する。従って、第１の面１Ａ側から入ってきた液は、粒径の大きな第１の面１Ａ側に配されたポリマー粒子に直ちに吸収されることなく、そのまま吸収体１０の第２の面１Ｂ側に向けて流下する。しかも、第１の面１Ａ側の繊維量は、第２の面１Ｂ側の繊維量よりも少ないため、繊維間の空隙の大きい疎な構造となっており、液の平面方向への拡散性が低いことに加え、繰り返し液を吸収することによって粒径の大きなポリマー粒子３が膨潤したのちも、膨潤したポリマー粒子３同士が接することがなく、ゲル層を形成しないため、液をすばやく透過させる。従って、液は、第１の面１Ａ側において平面方向にはあまり拡散せず、粒径の小さなポリマー粒子３が配されている第２の面１Ｂ側にすばやく到達する。
【００２０】
粒径の小さなポリマー粒子３は、単位重量当たりの表面積が大きく、液をポリマー粒子３内に吸収する速度が速いため、第２の面１Ｂ側に到達した液は、粒径の小さなポリマー粒子３によってすばやく吸収される。また、第２の面１Ｂ側の繊維量は、第１の面１Ａ側の繊維量よりも多く、繊維間の空隙の小さい密な構造となっており、繊維間に働く毛管力によって液は面方向に広く拡散し、第２の面１Ｂ側における液の吸収力を向上させる。粒径の小さなポリマー粒子３によって吸収されなかった余剰の液は、第１の面１Ａ側に配されている粒径の大きなポリマー粒子３によって吸収される。
【００２１】
本実施形態においては、このように、第１の面１Ａ側において液をあまり平面方向に拡散させずに第２の面１Ｂ側にすばやく透過させ、第２の面１Ｂ側において液をすばやく吸収すると共に吸収した液を平面方向に広く拡散させることにより吸収体１０の液の吸収速度が高まる。また、第１の面１Ａ側の繊維量は、第２の面１Ｂ側の繊維量よりも少なくなっており、第１の面１Ａ側と第２の面１Ｂ側とでは、パルプ繊維２間に形成される導液路が、不連続となっているか又は分断されている。そのため、第２の面１Ｂ側に吸収された液は、第１の面１Ａ側には逆戻りしにくい。そのうえ、吸収体１０が加圧されるなどした際に第１の面１Ａ側に逆戻りしようとする液は粒径の大きなポリマー粒子３によって吸収される。このように、実態におけるあらゆる状態（圧力の有無、姿勢、尿量）において吸収体１０からの液戻りが少なくなる。また、液がすばやく吸収体１０中へ透過していくために、表面シート上に液が残存する時間が短くなり、表面シート中に残る液もすくなくなるため、吸収体１０はドライ感を呈する。更に、ポリマー粒子３の粒径は、第１の面１Ａから第２の面１Ｂに向けて漸次小径となっているため、液の透過速度は、第１の面１Ａから第２の面１Ｂに向けて徐々に遅くなり、また、液をポリマー粒子３内に吸収する速度は第１の面１Ａから第２の面１Ｂに向けて徐々に早くなっている。特に、第１の面１Ａ側の領域においては、その厚み方向に亘って繊維量に変化はないが、ポリマー粒子３の粒径が漸減していることに起因して、液の透過速度は第１の面１Ａから第２の面１Ｂに向かうにつれて徐々に減少し、逆に液の吸収速度は、徐々に増加していく。更に、第１の面側の領域内における液の拡散性は、第１の面１Ａから第２の面１Ｂに向かうにつれて徐々に高くなっていく。このように第１の面１Ａ側の領域内において液の透過速度、液の吸収速度及び液の拡散性を徐々に変化させることによって、第２の面１Ｂ側に液をスムーズに移行させ、第２の面１Ｂ側に、液の吸収力や液の面方向への拡散力を超えた多量の液が一度に流入することを効果的に防止し、第１の面１Ａ側に液が逆戻りしにくくなる。
【００２２】
更に、粒径の大きなポリマー粒子３は、粒子同士の間に存在する空間が、粒径の小さなポリマー粒子３の場合よりも大きいので、粒径の大きなポリマー粒子３が液を吸収し膨潤してその体積が増加しても、その体積の増加分を前記の空間で吸収できる。従って、第１の面１Ａ側において、ゲルブロッキングは生じにくくなっている。一方、粒径の小さなポリマー粒子３は、粒径の大きなポリマー粒子３に比べゲルブロッキングしやすい傾向にあるが、第２の面１Ｂ側においては、パルプ繊維２の繊維量が多いため、小粒径のポリマー粒子３間にパルプ繊維２が介在してポリマー粒子３同士の接触が妨げられ、ゲルブロッキングが効果的に防止される。
【００２３】
ポリマー粒子３としては、従来の吸収性物品に用いられてきたものと同様のものを特に制限なく用いることができる。具体的には、ポリアクリル酸ソーダ（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。
【００２４】
ポリマー粒子３を保持するパルプ繊維２としては、針葉樹クラフトパルプや広葉樹クラフトパルプのような木材パルプ、木綿パルプ及びワラパルプ等の天然セルロース繊維等が挙げられる。
パルプ繊維２の繊維長は、本発明において特に制限はないが、好ましくは０．
１〜１０ｍｍ、更に好ましくは０．５〜３ｍｍである。
【００２５】
尚、図示はされていないが、吸収体１０は、各種シート材料（以下、コアラップシートともいう）によって包まれていることも好ましい。また、コアラップシートは、第１の面１Ａ及び／又は第２の面１Ｂの上面及び／又は下面に配されていてもよい。コアラップシートとしては、ティッシュペーパーなどの紙、不織布（例えばスパンボンド不織布、ＳＭＳ（スパンボンド−メルトブローン−スパンボンド）不織布、エアレイド不織布）等が挙げられる。
【００２６】
次に、上述した吸収体１０の好ましい製造方法について説明する。
図１に示す吸収体１０は、例えば図２に示す製造装置２０により製造することができる。
吸収体の製造装置２０は、図２に示すように、外周面に複数の集積用凹部４０が所定の間隔で形成された回転ドラム３０と、回転ドラム３０の外周面の一部を覆う一端部を有し、飛散状態とされた吸収体の原料を、回転ドラム３０の外周面に供給するダクト５０を備えている。
【００２７】
回転ドラム３０は、円筒状をなし、図２中の矢印Ａ方向に回転駆動されるようになされている。回転ドラム３０の外周面には、製造する吸収体の形状に対応する形状の集積用凹部４０，４０・・が形成されている。回転ドラム３０には、吸気ファン（図示せず）が接続されており、該吸気ファンの駆動により、回転ドラム内の仕切られた空間Ｂ及びＣが負圧に維持されるようになっている。個々の集積用凹部４０の底面部には、多数の細孔（図示せず）が形成されており、集積用凹部が負圧に維持された空間上を通過している間、該集積用凹部の底面部の細孔が吸引孔として機能する。
【００２８】
ダクト５０における、回転ドラム３０側とは反対側の端部付近には、パルプ繊維等の繊維材料をダクト５０内に飛散状態として供給する繊維材料供給装置（図示せず）が設けられている。また、ダクト５０における、回転ドラム３０と前記繊維材料の導入部位との間には、該ダクト５０内にポリマー粒子３を導入するポリマー導入口５１が設けられている。
ダクト５０は、図３及び図４に示すように、上面５２、下面５３及び一対の側面５４，５４によって囲まれた断面矩形状の内部空間を有している。図４に示すように、ダクト５０の内部空間は、繊維材料の導入部からポリマー粒子の導入部を経て、該ポリマー粒子の導入部と回転ドラム３０との中間部位くらいまでは、ゆるやかに上下方向に拡大しており、回転ドラム３０の近傍においては、上下方向に急激に拡大している。一方、ダクト５０の一対の前記側面５４，５４は、ドラムの略全長に亘って互いに略平行である。以下、ダクト５０の内壁面を構成する上記上面５２、上記下面５３及び上記側面５４を、それぞれ、ダクト５０の上面５２、下面５３及び側面５４という。
【００２９】
本吸収体の製造装置２０は、ダクト５０の内部空間上半部の両側２箇所に設けられたポリマー導入口５１から、ポリマー粒子３をダクト５０内に導入するようになされている。ポリマー導入口５１は、図４に示すように、ダクト５０内の上面５２と各側面５４，５４との交点５５，５５近傍に形成されている。より具体的には、ダクト５０の一対の側面５４，５４における上面５２近傍に形成されている。ポリマー導入口５１は、ダクト５０の内壁面に矩形状に開口している。
【００３０】
ポリマー導入口５１が形成された部分におけるダクト５０の外壁面には、ポケット状の接続部材５６が取り付けられている。ポケット状の接続部材５６は、ポリマー供給管５７の一端部を差し込んで固定できるようになっている。ポリマー供給管５６の他端は、ポリマーの収容部５８に接続されている。ポリマーの収容部５８に収容されているポリマーは、２つのポリマー供給管５７に等量に分割され、それぞれ、ポリマー導入口５１からダクト内に導入されるようになされている。
【００３１】
ポリマーの収容部５８からポリマー導入口５１へのポリマーの移動は、主に重力による自然落下であるが、ポリマーの収容部５８側に送気ファン等のブロー手段を設けてポリマーの移動を助力してもよい。尚、ポリマー導入口５１からのポリマーの導入の開始及び停止は、ポリマーの収容部５８に備えられたオーガー（図示せず）といわれる大きなねじ状の部材を回転させたり止めたりすることにより行うことができる。ポリマーの導入は、オーガーのねじの穴（隙間）の中へポリマーを充填させ、オーガーを回転させて行う。ポリマーの導入量は、オーガーの回転速度により調整する。ポリマーの導入の停止は、オーガーを止め、ポリマー導入口５１へのポリマーの供給を止めることにより行う。
【００３２】
本吸収体の製造装置２０においては、図２及び図３に示すように、ダクト５０の各側面５４における、ポリマー導入口５１よりも回転ドラム３０寄りの位置に、略三角錐状の部材４１、４２が固定されている。また、ダクト５０の下面５３における、ポリマー導入口５１よりも回転ドラム３０寄りの位置には、三角柱状の部材４３が設けられている。部材４１，４２及び４３を設けることにより、ダクト５０の内部空間の体積が減少してダクト５０内の気流の流速が早くなる。また、部材４１，４２及び４３の形状によって、該部材４１，４２及び４３よりも回転ドラム３０側のダクト５０の内部空間に気流の乱れが生じる。本吸収体の製造装置２０においては、部材４１，４２の略三角錐形状により、部材４１，４２及び４３よりも回転ドラム３０側のダクト５０の内部空間において、部材４１，４２の設けられている位置よりも上部の空間で乱気流が生じる。また部材４１，４２の設けられている位置よりも下部の空間においては、乱気流は生じない。
部材４１，４２の形状は、空気流の流速を変化させ、乱気流を生じさせることのできる形状であれば特に制限されない。
【００３３】
吸収体の製造装置２０は、更に、集積用凹部４０に原料を堆積させる前の回転ドラム３０の外周面上に第１コアラップシート５Ｂを供給する第１コアラップシート供給機構と、集積用凹部４０に原料を堆積させた後の回転ドラム３０の外周面上に第２コアラップシート５Ａを供給する第２コアラップシート供給機構と、回転ドラムの外周面上に供給する直前の第１及び第２コアラップシート５Ａ，５Ｂにそれぞれ接着剤を塗工する２つの接着剤塗工装置６Ａ，６Ｂとを備えている。
【００３４】
本吸収体の製造装置２０を用いて吸収体１０を製造するには、先ず、回転ドラム３０を回転させると共に、上記吸気ファンを作動させる。また、第１及び第２コアラップシート供給機構及び接着剤塗工装置６Ａ、６Ｂを作動させる。
吸気ファンの作動により、空間Ｂ上に位置する集積用凹部４０の底面部に吸引力が生じると共に、ダクト５０内に、回転ドラム３０の外周面に向けて流れる空気流が生じる。
そして、ダクト５０内に、繊維材料を飛散するように導入すると共に、２つのポリマー導入口５１それぞれから、ポリマー粒子をダクト５０内に導入する。
【００３５】
回転ドラム３０には、先ず、第１コアラップシート５Ｂが供給される。ダクト５０内に導入された繊維材料及びポリマー粒子は、飛散状態となって回転ドラムに向かって供給され、回転ドラム３０における該シート５Ｂにより内面が覆われた状態の集積用凹部４０内に吸引されて堆積する。そして、これらが堆積した後の集積用凹部４０上に、第２コアラップシート５Ａが供給される。
【００３６】
ここで、図２に示す製造装置において、ダクト５０の両側２箇所に設けられた一対のポリマー導入口５１それぞれから、粒度分布を有するポリマー粒子３をダクト５０内に導入すると、導入されたポリマー粒子３は、粒径の大きなものほど早く落下するため、粒径の大きなポリマー粒子３は、ダクト５０内の乱気流の生じていない空間、即ち部材４１，４２の設けられている位置よりも下部の空間を搬送されて、回転する集積用凹部４０がダクト５０に覆われた部分における下方部Ｂ１に位置する際に集積用凹部４０の底面に堆積する。また、乱気流により舞い上げられたポリマー粒子３においては、その中で粒径の小さなものほどより遠くまで搬送される。そして、粒径の小さなポリマー粒子３は、回転する集積用凹部４０がダクト５０に覆われた部分における上方部Ｂ３に位置する際に、集積用凹部４０の表面に堆積する。即ち、ポリマー粒子３は、回転ドラム３０に設けられた集積用凹部４０において、粒径の大きいものが底面（内面）に堆積し、そこから表面（外面）に向かうにつれて徐々に粒径の小さいものが堆積していく。
【００３７】
繊維材料供給装置から供給されたパルプ繊維２は、部材４１，４２の設けられた部分よりも手前側では、ダクト５０内に均一に分散して搬送されてくる。パルプ繊維２はその形状から、ポリマー粒子３よりも気流の影響を強く受けるため、部材４１，４２の設けられた部分よりも回転ドラム３０側では、大部分のパルプ繊維２が乱気流により舞い上げられ、乱気流の生じていない空間を搬送されるパルプ繊維２は少量となる。従って、回転する集積用凹部４０がダクト５０に覆われた部分における下方部Ｂ１に位置する際に集積用凹部４０の底面に堆積するパルプ繊維２の量は少なくなる。また、回転する集積用凹部４０がダクト５０に覆われた部分における上方部Ｂ３に位置する際に集積用凹部４０の表面に堆積するパルプ繊維２の量は多くなる。即ち、回転ドラム３０に設けられた集積用凹部４０において、底面（内面）側に堆積するパルプ繊維２の量は少なくなり、表面（外面）側に堆積するパルプ繊維２の量が多くなる。
【００３８】
集積用凹部４０内の繊維材料及びポリマー粒子の堆積物は、パルプ繊維２からなる繊維集合体にポリマー粒子３が含有されている構成であり、それらが、第１及び第２コアラップシート５Ａ，５Ｂ間に間欠的に配置されたものは、吸収体の連続体１０Ａである。パルプ繊維２及びポリマー粒子３の堆積物は、堆積物の排出部Ｅまで搬送され、第１及び第２コアラップシート５Ａ，５Ｂに挟まれた状態で、回転ドラム３０から離れる方向に引っ張られ集積用凹部４０から離型される。
回転ドラム３０の外周面から離れた吸収体の連続体１０Ａは、ベルトコンベア等の任意の搬送手段により搬送され、後の工程において、パルプ繊維２及びポリマー粒子３の堆積物のない部分で切断されて個々の吸収体１０となる。
【００３９】
吸収体１０の厚みは、好ましくは１〜５ｍｍ、更に好ましくは２〜３ｍｍである。
また、吸収体１０全体としての坪量は、好ましくは４０〜７００ｇ／ｍ2、更に好ましくは１００〜５００ｇ／ｍ2である。吸収体１０中におけるパルプ繊維２の坪量は、好ましくは２０〜３５０ｇ／ｍ2、更に好ましくは５０〜２５０ｇ／ｍ2であり、吸収体１０中におけるポリマー粒子３の坪量は、好ましくは２０〜３５０ｇ／ｍ2、更に好ましくは５０〜２５０ｇ／ｍ2である。
【００４０】
尚、吸収体１０は、第１実施形態においては、第１の面１Ａを受液面として吸収性物品に用いていたが、第２の面１Ｂを受液面として用いてもよい。
この場合には、排泄された液は、受液面である第２の面１Ｂ側において平面方向に広く拡散された後に第１の面１Ａ側に透過されるため、一回の液の吸収によって吸収体１０の全面を利用できるという点において優れる。そのため軽失禁やパンティーライナーなどの排泄量がすくなく、一回の排泄で比較的取り替えるような場合に用いるとよい。
【００４１】
次に、本発明の第２実施形態について説明する。第２実施形態については、上述した第１実施形態と異なる点を説明し、同様の点は、同一の符号を付して説明を省略する。特に説明しない点は、第１実施形態についての説明が適宜適用される。
第２実施形態においては、図５に示すように、第１実施形態に比して、第１の面１Ａと第２の面１Ｂとの間に、第１の面１Ａ側の領域及び第２の面１Ｂ側の領域よりもパルプ繊維２の重量の多い領域１Ｃを有している点で異なる。
第２実施形態におけるパルプ繊維２の重量の多い領域１Ｃにおけるパルプ繊維２の重量は、好ましくは５０〜２００ｇ／ｍ2、更に好ましくは１００〜１５０ｇ／ｍ2である。
【００４２】
第２実施形態によれば、パルプ繊維２の重量の多い領域１Ｃを吸収体１０の厚み方向の中央付近に設けることにより、第１の面１Ａ側の領域を透過してきた液を、該領域１Ｃにおいて平面方向に広く拡散させてから第２の面１Ｂ側の領域に液を移行させることができるため、第２の面１Ｂ側に液を移行させることのできる面積が大きくなり、一回の液の排泄時に接するポリマー粒子３の量が増え、吸収効率が高まる。またパルプ繊維２の重量の多い領域１Ｃが吸収体１０の厚み方向の中央付近にあることにより、吸収体１０は、第１の面１Ａ及び第２の面１Ｂの何れの面から圧迫した際にも風合いが良好となり、クッション性に優れる。
【００４３】
図５に示すように、吸収体の厚み方向の中央領域にパルプ繊維の重量の多い領域１Ｃを有する吸収体１０を形成するには、図２に示す製造装置において、導入するパルプ繊維の特性（比重、太さ、長さ、形状等）を調整してパルプ繊維の搬送距離を制御し、回転する集積用凹部４０が回転ドラム３０におけるダクト５０に覆われた部分の上下方向における中央部分Ｂ２に位置する際にパルプ繊維が密に堆積するようにすればよい。
【００４４】
本発明においては、吸収体１０の上面又は下面に、さらに別の吸収体が積層されていてもよい。図６には、本発明の第３実施形態が示されている。第３実施形態は、第１実施例の吸収体１０を２枚積層したものである。第３実施形態においては、下層吸収体１３の第１の面１３Ａと上層吸収体１４の第２の面１４Ｂとが重なるように、積層されている。このように、本発明の吸収体を２枚積層することにより、速い液の吸収速度を保ちつつ、且つ更に多量の液の吸収が可能となる。尚、下層吸収体１３は、図７に示すように、下層吸収体１３の第２の面１３Ｂと上層吸収体１４の第２の面１４Ｂとが重なるように積層されていてもよい。また、下層吸収体１３は、図８に示すように、第１の面１３Ａから第２の面１３Ｂに亘ってパルプ繊維２の重量分布が均一であり、またポリマー粒子３の粒径も第１の面１３Ａから第２の面１３Ｂに向けて漸次変化していないものであってもよい。
【００４５】
以上、本発明をその好ましい実施形態に基づき説明したが、本発明は前述した実施形態に左右されることなく、本発明を逸脱しない限り適宜変更が可能である。
例えば、第１実施形態においては、第１の面１Ａの空隙率は第２の面１Ｂの空隙率よりも大きかったが、第２の面１Ｂの空隙率が第１の面１Ａの空隙率よりも大きくてもよい。
また、本発明の吸収性物品においては、第１実施形態の構成を有する吸収体１０を、該吸収性物品の股下部等の着用者の排泄部に当接する領域のみに偏在させて配してもよい。
また、本発明の吸収性物品は、使い捨ておむつや生理用ナプキンに限られず、失禁パッド等であってもよい。
【実施例】
【００４６】
以下に、本発明における好ましい具体的な実施例を挙げる。しかしながら本発明の範囲は、かかる実施例に制限されるものではない。
【００４７】
〔実施例〕
図２に示す製造装置を用いて、図１に示す吸収体を製造した。パルプ繊維としては、ウエハウザー社製〔ＮＢ４１６〕を用いた。ポリマー粒子としてはサンダイヤ社製〔ＩＭ９３０〕を用いた。
得られた吸収体は、坪量４８９ｇ／ｍ2であり、厚みは２．０ｍｍであった。吸収体全体におけるパルプ繊維の坪量は、１９５ｇ／ｍ2、ポリマー粒子の坪量は、２９４ｇ／ｍ2であった。第１の面におけるポリマー粒子の平均粒径は、約５００μｍ、第２の面におけるポリマー粒子の平均粒径は、約１２５μｍであった。第１の面側のパルプ繊維の重量は８０ｇ／ｍ2、第２の面側のパルプ繊維の重量は１１５ｇ／ｍ2であった。この吸収体の厚み方向の断面を電子顕微鏡観察した結果、図１に示す構造を有していることが確認された。
【００４８】
表面シート１１として、坪量２５ｇ／ｍ2のエアスルー不織布を用いた。裏面シート１２として、透湿性のシートを用いた。
それ以外は、通常の使い捨ておむつの製造方法に従い、使い捨ておむつを得た。
【００４９】
〔比較例〕
実施例に用いた装置２０における乱気流及び流速の変化を生じさせる部材４１，４２，４３を取り外し、ポリマーの導入位置を側面からダクト上面にし、投入口も２つから１つに変更したダクトを用いてポリマー粒子及びパルプ繊維を積繊し、吸収体の厚み方向に亘ってパルプ繊維の重量の変化及びポリマー粒子の平均粒径の変化のない比較例の吸収体を作製した。
得られた吸収体は、坪量５１４ｇ／ｍ2であり、厚みは３．２ｍｍであった。吸収体全体におけるパルプ繊維の坪量は、２５７ｇ／ｍ2、ポリマー粒子の坪量は、２５７ｇ／ｍ2であった。ポリマー粒子の平均粒径は３５０μｍであった。
それ以外は実施例と同様にして使い捨ておむつを得た。この吸収体の厚み方向の断面を電子顕微鏡観察した結果、吸収体の厚み方向に亘ってパルプ繊維の重量の変化及びポリマー粒子の平均粒径の変化は観察されなかった。
【００５０】
〔評価〕
実施例及び比較例で得られた使い捨ておむつについて、以下の方法で液吸収時間及び液戻り量を測定した。その結果を表１に示す。
【００５１】
〔液吸収時間の測定〕
所定の速度及び量で擬似尿を繰り返し排尿でき、且つ赤ちゃんの体型及び体重を模したモデルに、実施例及び比較例で得られたおむつをはかせて、うつぶせ寝をしている体勢にした。この体勢では、お腹付近の吸収体にかかる体圧がほぼ２．０ｋＰａになる。この状態で擬似尿を４０ｍｌ排尿させ、表面シートから擬似尿がなくなるまでの時間を液吸収時間として測定した。測定は所定の排尿間隔をおいて４回行った。液吸収時間が遅くなればなるほど、モデルと表面シートの間に擬似尿が液残りしている時間が長いことを意味する。尚、２回目、３回目、４回目の排尿は、それぞれその前の回の測定から５分後に行った。
【００５２】
〔液戻り量〕
４回目の擬似尿の排尿完了から１０分後に、アドバンテック社製のろ紙Ｎｏ．４Ａを１０ｃｍ×１０ｃｍに切ったものを１０枚重ね、排尿部付近のおむつ上に置く。ろ紙の上から３．４３ｋＰａの圧力を２分間加えてろ紙に擬似尿を吸収させる。ろ紙の重量を測定し、重量の増加分を液戻り量とする。
【００５３】
【表１】
2008132055.tif 000003
【００５４】
表１に示す結果から明らかなように、実施例の吸収体は、比較例の吸収体に比べて液吸収時間が短い、即ち液の吸収速度が速いことが判る。また、実施例の吸収体は、比較例の吸収体に比べて繰り返し液を吸収しても吸収速度の低下が起こりにくく、更に加圧という厳しい条件での液戻り量も低減されていることが判る。
【図面の簡単な説明】
【００５５】
【図１】図１は、本発明の吸収性物品の一実施形態（第１実施形態）に係る吸収体の断面構造を示す模式図である。
【図２】図２は、図１に示す吸収体の製造装置の一例を示す概略図である。
【図３】図３は、図２に示す吸収体の製造装置におけるダクトの、高吸収性ポリマー導入口付近の構成を示す斜視図である。
【図４】図４は、図２に示す吸収体の製造装置におけるダクトの、高吸収性ポリマー導入口を通る断面を示す鉛直方向断面図（図２のＩＩ−ＩＩ線断面図）である。
【図５】図５は、本発明の第２実施形態に係る吸収体の断面構造を示す模式図である。
【図６】図６は、本発明の第３実施形態に係る吸収体の断面構造を示す模式図である。
【図７】図７は、本発明の第４実施形態に係る吸収体の断面構造を示す模式図である。
【図８】図８は、本発明の第５実施形態に係る吸収体の断面構造を示す模式図である。
【符号の説明】
【００５６】
１  吸収性物品
１０  吸収体
１１  表面シート
１２  裏面シート
２  パルプ繊維
３  高吸収性ポリマー（ポリマー粒子）
２０  吸収体の製造装置
３０  回転ドラム
４０  集積用凹部
５０  ダクト
【図１】
2008132055.tif 000004
【図２】
2008132055.tif 000005
【図３】
2008132055.tif 000006
【図４】
2008132055.tif 000007
【図５】
2008132055.tif 000008
【図６】
2008132055.tif 000009
【図７】
2008132055.tif 000010
【図８】
2008132055.tif 000011